(57)【特許請求の範囲】
【請求項１】
画面上に動画及びアプリケーションのユーザインタフェースを表示する表示制御部と、前記アプリケーションと共に、前記アプリケーションが実行可能な画面モードの情報を含むアプリケーション記述情報を外部から取得する取得手段とを備え、
前記表示制御部は、
前記画面が、前記動画を縮小表示する第１の領域と、前記アプリケーションを選択するためのアプリメニューを表示する第２の領域と、前記アプリメニューから選択されたアプリケーションのウィジェットの一覧を示すウィジェットリストを表示する第３の領域と、前記第２の領域と前記第３の領域とが重複する重複エリアとを含むように表示制御し、
前記アプリメニューの操作状態においては、前記重複エリアに、前記アプリメニューを表示し、
前記ウィジェットリストの操作状態においては、前記重複エリアに、前記ウィジェットリストを表示し、
前記ウィジェットリストから所望のウィジェットが選択された場合、前記取得手段で取得された前記アプリケーション記述情報を参照して、前記選択されたウィジェットに対応するアプリケーションを実行可能な画面モードの選択肢を表示し、前記選択肢から選択された画面モードで前記アプリケーションの操作画面を表示する、コンテンツ表示装置。
【請求項２】
画面上に動画及びアプリケーションのユーザインタフェースを表示する表示制御部と、前記アプリケーションと共に、前記アプリケーションのデフォルト表示モードの情報を含むアプリケーション記述情報を外部から取得する取得手段とを備え、
前記表示制御部は、
前記画面が、前記動画を縮小表示する第１の領域と、前記アプリケーションを選択するためのアプリメニューを表示する第２の領域と、前記アプリメニューから選択されたアプリケーションのウィジェットの一覧を示すウィジェットリストを表示する第３の領域と、前記第２の領域と前記第３の領域とが重複する重複エリアとを含むように表示制御し、
前記アプリメニューの操作状態においては、前記重複エリアに、前記アプリメニューを表示し、
前記ウィジェットリストの操作状態においては、前記重複エリアに、前記ウィジェットリストを表示し、
前記ウィジェットリストから所望のウィジェットが選択された場合、前記取得手段で取得された前記アプリケーション記述情報を参照して、前記選択されたウィジェットに対応するアプリケーションを前記デフォルト表示モードで表示する、コンテンツ表示装置。
【請求項３】
前記ウィジェットリストは、動画を表示するウィジェットを含む、請求項１又は２記載のコンテンツ表示装置。
【発明の詳細な説明】
【技術分野】
【０００１】
本発明は、コンテンツ表示装置に関する。
【背景技術】
【０００２】
本技術分野において、情報端末の表示装置に、インターネットアプリケーションを表示し、起動するメニューの表示方式について開示されている（特許文献１参照）。
【先行技術文献】
【特許文献】
【０００３】
【特許文献１】特開２００１−１８８６７２号公報
【発明の概要】
【発明が解決しようとする課題】
【０００４】
特許文献１は、登録されたアプリケーションをアイコン等でランチャーメニュー画面に表示し、選択されたアプリケーションを起動するものであるが、映像を表示しながら利用可能なアプリケーションを表示することについては考慮されていない。【０００５】
そこで、本発明の目的は、映像を表示しながら利用可能なアプリケーションを表示できるコンテンツ表示装置、及び、コンテンツ表示方法を提供することにある。
【課題を解決するための手段】
【０００６】
上記課題を解決するため、本発明の望ましい態様の一つは次の通りである。当該コンテンツ表示装置は、画面上に動画及びアプリケーションのユーザインタフェースを表示する表示制御部を備え、表示制御部は、画面上に、動画を縮小表示する第１の領域と、アプリケーションの一覧を表示する第２の領域と、アプリケーションのうち選択されているアプリケーションの詳細情報を表示する第３の領域に分け、第２の領域と第３の領域は重畳しており、アプリケーションの一覧の操作状態においては、第３の領域に、アプリケーションの一覧を表示し、アプリケーション表示画面一覧の操作状態においては、第２の領域に、アプリケーション表示画面一覧を表示する。
【発明の効果】
【０００７】
本発明によれば、映像を表示しながら利用可能なアプリケーションを表示できるコンテンツ表示装置、及び、コンテンツ表示方法を提供することができる。
【図面の簡単な説明】
【０００８】
【図１】コンテンツ送受信システムの構成例。
【図２】配信システムの構成例。
【図３】コンテンツ表示装置の構成例。
【図４】コンテンツ表示装置のリモコンの構成例。
【図５】コンテンツ表示装置の動画表示例。
【図６】コンテンツ表示装置のシステムフロー図。
【図７】コンテンツ表示装置のウィジェットシステムの表示例。
【図８】ウィジェットシステムの操作フロー図。
【図９】ウィジェットシステムのアプリメニューの操作フロー図。
【図１０】コンテンツ表示装置のウィジェットシステム表示例。
【図１１】ウィジェットシステムのウィジェットリストの操作フロー図。
【図１２】アプリケーションメタデータの構成例。
【図１３】アプリケーションのライセンス情報の構成例。
【図１４】アプリケーションのロングウィジェットモードの表示例。
【図１５】アプリケーションのフル画面モードの表示例。
【図１６】アプリケーションの動画共存モードの表示例。
【図１７】アプリケーションの操作フロー図。
【図１８】ウィジェットシステムの別の表示形態の例。
【発明を実施するための形態】
【０００９】
以下、実施例を、図面を用いて説明する。
【００１０】
図１は、コンテンツ送受信システムの構成例である。配信網は、ネットワーク品質を保証するコンテンツ配信網４０、及び、コンテンツ配信網４０にルータ４１を介して接続される外部のインターネット網７０から構成され、コンテンツ配信網４０は、ルータ４３を介して家庭に接続される。
【００１１】
配信システム６０には、ネットワークスイッチ４２を介してコンテンツ配信網４０に接続される配信システム６０−１、及び、汎用性を重視するインターネット網７０にルータ４４を介して接続される配信システム６０−２がある。尚、配信システム６０−１と６０−２のうち、何れか一方のみが存在する形態であってもよい。
【００１２】
家庭へのネットワーク接続は、同軸ケーブル、光ファイバ、ＡＤＳＬ(Asymmetric Digital Subscriber Line)、無線通信等、様々な通信経路４６が想定され、それぞれの経路に適した変復調が、伝送路変復調器４５によって行われ、ＩＰ（Internet Protocol）ネットワークに変換される。
【００１３】
家庭内の機器は、ルータ４３、伝送路変復調器４５、及び、ルータ４８を介して、コンテンツ配信網４０と接続される。家庭内の機器としては、コンテンツ表示装置５０や、ＩＰネットワーク対応の記憶装置（Network Attached Storage）３２、パソコン３３、ネットワーク接続可能なＡＶ機器３４などが想定される。コンテンツ表示装置５０は、アンテナ３５から受信した放送を再生したり、蓄積する機能を併せ持ってもよい。
【００１４】
図２は、コンテンツ配信システムの構成例である。コンテンツ配信システム６０は、Ｗｅｂサーバ６１、メタデータサーバ６２、コンテンツサーバ６３、ＤＲＭサーバ６４、顧客管理サーバ６５、及び、課金・決済サーバ６６を含み、これらの各サーバは、ＩＰ網６７によって相互に接続されると共に、ＩＰ網６７を介して、図１のインターネット網７０、又は、コンテンツ配信網４０に接続される。
【００１５】
Ｗｅｂサーバ６１は、Ｗｅｂ文書を配信する。メタデータサーバ６２は、配信するコンテンツの属性情報などを記述するＥＣＧ（Electric Content Guide）メタデータ、及び、コンテンツの再生に必要な情報を記述する再生制御情報を配信する。コンテンツサーバ６３は、コンテンツ本体を配信する。ＤＲＭサーバ６４は、コンテンツの利用権や利用に必要なコンテンツの復号に必要な鍵の情報を含むライセンスを配信する。顧客管理サーバ６５は、配信サービスの顧客情報を管理する。課金・決済サーバ６６は、顧客によるコンテンツの課金や決済処理を行う。
【００１６】
尚、上記各サーバの一部又は全てが、ＩＰ網６７を介さず、直接、インターネット網４５、又は、コンテンツ配信網４０に接続され、相互に通信を行う構成であってもよい。又、上記各サーバは、複数種類のサーバを統合したサーバを実体として持つ構成としてもよいし、いくつかのサーバは無くてもよい。又、メタデータサーバ６２のように複数のデータの配信に使われているサーバを、データの種類別に分割して構成してもよい。
【００１７】
図３は、コンテンツ表示装置の構成例である。太線矢印は動画コンテンツの流れを示す。
【００１８】
コンテンツ表示装置５０は、放送ＩＦ（Interface）２、チューナ３、ストリーム制御部４、映像デコーダ５、表示制御部６、ＡＶ出力ＩＦ７、操作デバイスＩＦ８、通信ＩＦ９、ＲＴＣ（Real Time Clock）１０、暗号処理部１１、メモリ１２、ＣＰＵ（Central Processing Unit）１３、ストレージ１４、リムーバブルメディアＩＦ１５、及び、音声デコーダ１６からなり、これらはシステムバス１を介して接続される。
【００１９】
放送ＩＦ２は、放送信号を入力する。チューナ３は、当該放送信号の復調、復号を行う。ストリーム制御部４は、当該放送信号が暗号化されている場合は、その暗号を復号した上で、放送信号から多重化されたパケットを抽出する。映像デコーダ５は抽出した映像パケットを復号する。音声デコーダ１６は抽出された音声パケットを復号する。これにより、放送の再生が行われる。表示制御部６は、映像デコーダ５が生成する映像やＣＰＵ１３が生成するグラフィックスを表示する。ＡＶ出力ＩＦ７は、表示制御部６が生成した映像信号、音声デコーダ１６が生成した音声信号を外部のテレビ等に出力する。
【００２０】
尚、ＡＶ出力ＩＦ７には、ＨＤＭＩ（High-Definition Multimedia Interface）のように映像音声一体のＩＦなどがあるが、コンポジットビデオ出力端子と、光出力のオーディオ端子のように、映像、音声が独立したＩＦであってもいい。又、表示デバイス、音声出力デバイスが、コンテンツ表示装置５０に内蔵される構成もあってよい。
【００２１】
通信ＩＦ９は、ＩＰネットワークに物理的に接続を行い、ＩＰデータパケットを送受信する。その際、ＴＣＰ（Transmission Control Protocol）、ＵＤＰ（User Datagram Protocol）、ＤＨＣＰ（Dynamic Host Configuration Protocol）、ＤＮＳ（domain name server）、ＨＴＴＰ(Hyper Text Transfer Protocol)等の各種ＩＰ通信プロトコルの処理を行う。
【００２２】
ＲＴＣ１０は、コンテンツ表示装置５０の時刻を管理し、システムのタイマー動作や、コンテンツの時間による利用制限を行う場合、その管理も行う。
【００２３】
暗号処理部１１は、コンテンツや通信伝送路の保護のためにかける暗号の暗号化や、復号化の処理を高速に行う。
【００２４】
ストレージ１４は、コンテンツやメタデータ、管理情報等を蓄積するＨＤＤなどの大容量蓄積デバイスなどが想定され、リムーバブルメディアＩＦ１５には、メモリカードや、ＵＳＢメモリ、リムーバブルＨＤＤ、光メディアドライブなどのＩＦが想定される。
【００２５】
操作デバイスＩＦ８に接続する操作デバイスには、赤外線リモコンやスマートフォン等のタッチデバイス、マウス、音声認識ユニットなど様々な形態が考えられる。
【００２６】
尚、放送受信機能を持たず、インターネットからの動画配信のみを受信するコンテンツ表示装置５０の場合、通信ＩＦ９から受信した映像音声ストリームをバスを介して、ストリーム制御部４に送るため、放送ＩＦ２、チューナ３は省略されてもよい。又、ストレージ１４、リムーバブルメディアＩＦ１５も、それらをアプリケーションで使用しないコンテンツ受信装置５０の場合は、省略されてもよい。
【００２７】
放送ＩＦ２、チューナ３、ストリーム制御部４、映像デコーダ５、音声デコーダ１６、通信ＩＦ９、ＲＴＣ１０、暗号処理部１１、メモリ１２、ＣＰＵ１３、ストレージ１４、表示制御部６、操作デバイスＩＦ８、リムーバブルメディアＩＦ１５、ＡＶ出力ＩＦ７は、その全て又は一部を纏めた処理部として集積回路化するなどしてハードウェアで実現してもよい。又、チューナ３、ストリーム制御部４、映像デコーダ５、音声デコーダ１６、暗号処理部１１は、その全て又は一部を、ＣＰＵ１３及びメモリ１２により実現される処理プログラムによるソフトウェアで実現してもよい。
【００２８】
以下、説明を簡略化するため、各種プログラムを中央制御部などが実行することで実現される各処理は、プログラムで実現される各処理部を主体として説明する。尚、各処理部をハードウェアで実現した場合にはその各処理部が主体となって各処理を行う。
【００２９】
図４は、コンテンツ表示装置のリモコンの構成例である。操作デバイスＩＦ８に接続する操作デバイスの一例としてのリモコン３０は、複数の操作ボタンを備える。当該ボタンが押下されると、ＣＰＵ１３は、押下されたボタンに応じて、コンテンツ表示装置５０に指示を行う。
【００３０】
リモコン３０は、電源をＯＮ／ＯＦＦするためのＰｏｗｅｒボタン３１、詳細情報を表示するためのＩｎｆｏボタン３２、ＧＵＩ（Graphical User Interface）画面を操作するためのカーソルボタン（左カーソルボタン３３、右カーソルボタン３４、上カーソルボタン３５、下カーソルボタン３６）、操作の決定を指示するためのＥｎｔｅｒボタン３７、操作の取り消しを指示するためのＣａｎｃｅｌボタン３８、放送の選局や数値入力、文字入力等を行うための数字ボタン３９、チャンネルのアップダウン選局を行うための選局ボタン４０、メニューを表示するためのＭｅｎｕボタン４１、音量をアップダウンするための音量ボタン４３、及び、ウィジェットシステムを起動するためのＷｉｄｇｅｔボタン４２とから構成される。
【００３１】
尚、特定のＷｉｄｇｅｔをウィジェットシステムから直接自動起動できる専用ボタンを追加で設けてもよい。
【００３２】
表示制御部６が表示するＧＵＩ画面の操作は、ＧＵＩ上の操作対象を示すフォーカスを、リモコン３０の上下左右カーソルボタン（３３〜３６）で移動し、Ｅｎｔｅｒボタン３７を押すことで実行指示する。
【００３３】
次に、コンテンツ表示装置５０のＡＶ出力ＩＦ７から出力される画面表示例を、ＣＰＵ１３とメモリ１２により実行されるプログラムのフロー図を用いて説明する。
【００３４】
図５は、コンテンツ表示装置の動画表示例である。表示画面８０に、放送やインターネットストリーミングによる動画８１が表示されている。バナー８２には、放送の場合、放送局名、チャンネル、放送中の番組名と放送時間、現在の日時情報、映像や音声、字幕などの詳しい属性情報が表示され、オンデマンドのストリーミング配信の場合は、コンテンツの名称やコンテンツの尺、コンテンツの先頭からの再生位置、現在の日時情報、映像や音声、字幕などの詳しい属性情報が表示される。
【００３５】
図６は、コンテンツ表示装置のシステムフロー図である。電源ＯＮ状態において、ＣＰＵ１３は、動画を再生し（１００１）、リモコン操作を受け付け（１００２）、操作されたリモコン３０のボタンが、音量ボタン４３であれば音量を変更し（１００３）、選局ボタン４０であればチャンネルの選局処理を行い（１００４）、Ｐｏｗｅｒボタン３１であればスタンバイ状態に移行する（１００５）。スタンバイ状態は、再びＰｏｗｅｒボタン３１が押下されると、電源ＯＮ状態に復帰する（１００６）。
【００３６】
これらの操作は、図７、図１０、図１４、図１６、図１７、図１８の画面状態でも同様であるため、この後のフロー図では説明を省略する。Ｉｎｆｏボタン３２が押下されると、トグル動作で、バナー８２を表示したり、消したりできる（１００７）。Ｍｅｎｕボタン４１が押下されると、コンテンツ表示装置５０の各種機能を選択したり、各種設定を行うメニューを表示したり（１００８）、上下左右のカーソルボタンを用いてメニューの操作を行うことができる（１００９）。
【００３７】
ここで、Ｗｉｄｇｅｔボタン４２が押下されると、ウィジェットシステムが起動され、ウィジェットシステム表示状態（１１００）に遷移する。
【００３８】
図７は、コンテンツ表示装置５０のウィジェットシステムの表示例である。ウィジェットシステムは、コンテンツ表示装置５０で利用できるアプリケーションプログラムを選択するアプリメニュー８３と、起動したアプリのＧＵＩを小さなウィンドウサイズで表示するウィジェットを一覧表示するウィジェットリスト８４から構成される。
【００３９】
図７の画面では、映像８１はアスペクト比を変えずに縮小表示され、縮小により空いた画面エリアの下側にアプリメニュー８３、右側にウィジェットリスト８４を表示する。これら表示位置は、映像の上下左右どちらの位置であってもよい。
【００４０】
尚、破線の８９は、アプリメニュー８３とウィジェットリスト８４の重複エリアである。図７の例では、ウィジェットシステム初期表示状態なので、まずはアプリメニュー８３が優先して表示されている。メニュー上のアプリは、アプリの名称やアイコンパターンを表示することで識別できる。選択中のアプリは、太枠で表示されている（ここでは、「ＮＨＫ情報」が選択されている）。
【００４１】
図８は、ウィジェットシステムの操作フロー図である。ＣＰＵ１３は、まず動画を縮小表示し（１１０１）、アプリメニュー８３を表示し（１１０２）、ウィジェットリスト８４を表示して（１１０３）、リモコン操作を受け付ける（１１０４）。ここで、左右カーソルボタン（３３，３４）が押下されると、重複エリア８９をアプリメニュー８３が占有する形でアプリメニュー８３を表示し（１１１０）、アプリメニュー８３の操作状態に遷移する（１２００）。
【００４２】
一方、このステップ（１１０４）で、上下カーソルボタン（３５，３６）が押下されると、ＣＰＵ１３は、重複エリア８９をウィジェットリスト８４が占有する形でウィジェットリスト８４を表示し（１１１２）、ウィジェットリスト８４の選択操作状態に遷移する（１３００）。
【００４３】
図９は、アプリメニュー８３の操作フロー図である。図７の画面で、Ｍｅｎｕボタン４１が押下されると、アプリメニュー８３の操作メニューが表示され（１２０８）、アプリメニュー８３の項目を追加、削除、並べ替えなどの編集操作を行うことができる（１２０９）。Ｃａｎｃｅｌボタン３８が押下されると、ウィジェットシステムが終了し（１２１１）、図５の動画再生状態に戻る。
【００４４】
又、左右カーソルボタン（３３，３４）でアプリケーションを選択するフォーカスを移動し（１２１０）、Ｅｎｔｅｒボタン３７が押下されると、選択されたアプリケーションがウィジェットとして起動され、ウィジェットリスト８４に追加される（１２０６）。
【００４５】
その後、図８の操作内容（１１１１）がウィジェット起動なので、図１０のように、重複エリア８９をウィジェットエリアが占有する形でウィジェットリスト８４を表示し（１１１２）、ウィジェットリスト８４の選択操作状態に遷移する（１３００）。
【００４６】
図１０はコンテンツ表示装置のウィジェットシステム表示例、図１１はウィジェットシステムのウィジェットリストの操作フロー図である。
【００４７】
この画面で、Ｍｅｎｕボタン４１が押下されると、ウィジェットリスト８４の操作メニューが表示され（１３０８）、ウィジェットリスト８４の終了、並べ替えなどの編集操作を行うことができる（１３０８）。Ｃａｎｃｅｌボタンが押下されると、ウィジェットリスト８４の選択操作状態を終了し（１３１０）、図７のアプリメニュー８３の選択操作状態に戻る。又、上下カーソルボタン（３５，３６）でウィジェットを選択するフォーカスが移動され（１３１０）、Ｅｎｔｅｒボタン３７が押下されると、選択されたウィジェットを表示する表示状態を選択し（１３０６）、選択した表示状態に従いアプリケーションの画面を表示する（１４００）。
【００４８】
その後、図８の操作内容（１１１１）がウィジェット起動なので、図１０のように、重複エリア８９をウィジェットエリアが占有する形でウィジェットリスト８４を表示し（１１１２）、ウィジェットリスト８４の選択操作状態に遷移する（１３００）。
【００４９】
ここまで説明したコンテンツ表示装置５０上で動作するアプリケーションは、予めコンテンツ表示装置５０にプリインストールされたアプリケーションを検索し、コンテンツ表示装置５０に登録するマーケットアプリケーションと呼ばれるアプリケーションの一つにより、コンテンツサーバ６３からダウンロードされて登録され、登録されたアプリケーションはアプリメニュー８３に表示される。
【００５０】
図１２は、アプリケーションメタデータの構成例である。アプリケーションを登録する際、図２のメタデータサーバ６２から、当該アプリケーションに対応するアプリケーションメタデータ１００を取得し、当該アプリケーションの管理情報として利用する。又、当該アプリケーションが有料の場合、顧客管理サーバ６５で利用者を認証後、課金・決済サーバ６６を介して課金処理を行った後、図１３に示すライセンス情報をＤＲＭサーバ６４から取得し、アプリケーションの利用条件管理を行う。
【００５１】
アプリケーションメタデータ１００は、アプリケーション名称１０１、アプリケーション説明１０２、ジャンルコード１０３、ライセンス識別情報１０４、プログラムのバージョン１０５、配信日時１０６、アプリケーション取得先情報１０７、メタデータ取得先情報１０８、ウィジェットモードの有無１０９、ロングウィジェットモードの有無１１０、動画共存モードの有無１１１、フル画面モードの有無１１２、デフォルト表示モード１１３、アプリ動作周期１１４、及び、外部記憶への保存許可１１５等からなる。
【００５２】
ライセンス識別情報１０４は、対応するライセンス情報がある場合、それを識別する識別子（ＩＤ）などを示す。アプリケーション取得先情報１０７は、プログラム取得先ＵＲＬなどを示す。メタデータ取得先情報１０８は、アプリケーションメタデータ１００の取得先ＵＲＬなどを示す。
【００５３】
又、アプリケーションは、少なくとも、ウィジェットモード、ロングウィジェットモード、動画共存モード、フル画面モードの４つの状態を持つことができる。ウィジェットモードは、ウィジェットリスト８４に固定サイズで表示でき、アプリケーションが提供するサービスの表示のみを行い、アプリケーションが提供するサービスに対し、操作を行えないモードである。ロングウィジェットモード、動画共存モード、フル画面モードは、アプリケーションが提供するサービスの表示だけでなく、アプリケーションが提供するサービスに対し、ＧＵＩ画面を通して操作を行えるモードであり、フル画面モードが、動画を表示せず、フル画面でアプリケーションの表示を行うのに対し、動画共存モードは、画面分割で動画表示を継続しながら、アプリケーションの表示を行うモード、ロングウィジェットモードは、ウィジェットリストの表示エリア内にアプリケーションを表示するモードである。
【００５４】
アプリケーションメタデータ１００は、それぞれのメタデータが各モードに対応した機能を持つか否かの情報を、ウィジェットモードの有無１０９、ロングウィジェットモードの有無１１０、動画共存モードの有無１１１、フル画面モードの有無１１２として持つ。又、４つのモードのうち、デフォルトで主に使用される画面モードを指定するデフォルト表示モード１１３の情報も持つ。
【００５５】
アプリの動作周期１１４は、複数起動されたアプリを、画面を更新するためなどで、周期的に動作させたい場合に指定し、この周期に従いアプリに動作リソースが割り当てられる。外部記憶への保存許可１１５は、アプリケーションを、リムーバブルメディアなど外部の保存メディアに保存可能とするか否かを指定する情報で、保存が許可されたアプリは外部メディアにアプリケーションを移すことで、コンテンツ表示装置５０のメモリ１２やストレージ１４の記憶容量を節約することができる。
【００５６】
ＣＰＵ１３は、これらの情報に従い、アプリケーションのダウンロード、更新、検索、位置イラン表示などの処理を行う。
【００５７】
図１３は、アプリケーションのライセンス情報の構成例である。ライセンス情報２００は、売り切りか、レンタルかなどのライセンス形態２０１の情報、アプリケーションの複製や利用回数などのライセンス条件２０２の情報、レンタルの場合の利用期間２０３の情報、ライセンス情報の取得先サーバを示すライセンス取得先情報２０４、アプリケーションが暗号化されている場合、それを復号する鍵情報２０５などの情報からなる。
【００５８】
コンテンツ表示装置５０は、ライセンスを持つアプリケーションに関しては、ライセンス情報２００に従い、複製や利用回数、利用期間などの条件を監視し、条件内でのアプリケーションの動作を可能とし、利用条件を満たせない状態になった場合、ユーザに対し、ライセンス切れのエラーメッセージを表示し、アプリケーションの動作を行わない。又、ライセンスの再取得を促すようなＵＩ（User Interface）を提示してもよい。
【００５９】
図１４は、図１０のウィジェット状態から起動されたロングウィジェットモードのアプリケーションの表示例で、ウィジェットリストの表示領域を全て使用し、アプリケーションの操作画面８５が表示される。
【００６０】
図１５は、フル画面モードのアプリケーションの表示例で、動画は消去され、フル画面でアプリケーションの操作画面が表示される。
【００６１】
図１６は、動画共存モードのアプリケーション８６の表示例で、左半分に動画が表示されたまま、右半分にアプリケーションの操作画面８７が表示される。
【００６２】
図１７は、アプリケーションの操作フロー図である。ＣＰＵ１３は、まず起動されたアプリケーションの表示モードを判定し（１４０１）、フル画面モードなら動画を消去し（１４０２）、フル画面でアプリケーションの画面を表示する（１４０３）。動画共存モードなら、動画のスケーリングを画面分割状態のサイズ、位置に変更し（１４１３）、残りの部分にアプリケーションの画面を表示する。ロングウィジェットモードの場合は、動画のスケーリング状態は変更せず、ウィジェットリストのエリアにアプリケーションの画面を表示する。
【００６３】
表示を終えたら、リモコンの操作を受け付け（１４０４）、アプリケーションの画面内に表示された操作オブジェクトに対するフォーカスを上下左右カーソルボタン（３３，３４，３５，３６）で移動し、Ｅｎｔｅｒボタン３７で決定することで、アプリケーションの操作を行う。又、Ｍｅｎｕボタン４１を押すと、アプリケーションに対するメニューが表示され（１４１１）、アプリケーションの終了や再表示、画面の戻る、進むなどの操作を行うことができる（１４１２）。
【００６４】
アプリケーションのＵＩ操作で、アプリケーションを終了すると、図１０のウィジェットリスト操作画面に戻り、別のアプリケーションの選択、起動を行うことができる。
【００６５】
尚、アプリケーションは、放送などの動画とは別に、アプリケーション画面内に、アプリケーションが指示した動画を表示し、再生することもできる。例えば、図１０のウィジェットモードでも、アプリケーションの操作は行えないが、「ＭＨＫ情報」のウィジェットのように、アプリケーションが勝手にプロモーション動画を自動的に表示することができる。
【００６６】
又、図１４のように、放送などのメインの再生動画に関係する動画のリストを表示し、選択した動画をサムネイル状態でデモ再生し、Ｅｎｔｅｒボタン３７を押すと、フル画面の動画再生を行う例もあってよい。尚、この場合、放送などのメインの再生動画に付随するＥＰＧなどの番組情報や、あるいは、番組メタデータから、タイトル、放送局情報、番組ＩＤ、ジャンルコードなどの情報をキーとして、メタデータサーバ６２に対し、検索を実行することで、メインの再生動画に関連する動画のメタデータを取得でき、それを元に、アプリケーションに関連する動画の一覧を表示することができる。
【００６７】
図１５のフル画面モードでは、アプリケーション画面８６のメニューで選択した動画が、アプリケーション画面内の動画表示エリア８１内で再生されるようにしてもよい。図１６の場合は、アプリケーション画面８７のメニューで選択した動画が、メインの動画８１として再生されるようにしてもよい。又、各画面モードを、複数実装したアプリケーションは、アプリケーションの操作により、それぞれの画面状態を遷移できるようにしてもよい。又、アプリメニュー操作画面８３から、アプリケーションを起動する際、アプリケーションメタデータ１００によりウィジェットモードがないアプリケーションに対しては、フル画面モード、ロングウィジェットモード、動画共存モードのうち、有効なモードを選択として表示し、選んだモードで起動してもよい。
【００６８】
同様に、ウィジェットリスト操作画面８４で、アプリケーションを起動する場合も、アプリケーションメタデータ１００を参照し、フル画面モード、ロングウィジェットモード、動画共存モードのうち、有効なモードを選択として表示し、選んだモードで起動してもよい。又、アプリメニュー操作画面８３、ウィジェットリスト操作画面８４において、デフォルト表示モード１１１が指定されていた場合、ユーザに画面モードの選択肢を表示せず、直ちにデフォルト指定された表示モードでアプリケーションを表示してもよい。
【００６９】
ライセンスを有するアプリケーションの場合、ライセンスが指定する利用期限が過ぎたり、利用可能な回数使用した場合、アプリメニュー操作画面８３、ウィジェットリスト操作画面８４において、該当するアプリケーションを自動削除してもよい。又は、自動削除するのではなく、削除や再ライセンス取得以外の起動操作ができないマスク状態で表示を残す実装も考えられる。
【００７０】
又、ウィジェットシステムの表示形態は、別の例も考えられ、図１８のように、アスペクト比を変えずにスケーリングした動画の表示８１の外側に、バナー表示８２を追加し、その分、メニューリストの表示サイズを縮小する実装形態も考えられる。この場合、バナー８２のエリアを、映像の情報のみならず、ウィジェットの操作ガイダンスやエラー、ワーニング表示エリアとしても利用できるメリットがある。
【００７１】
以上の実施例によれば、コンテンツ表示装置５０は、動画を表示しながら、画面を有効活用し、アプリケーションの選択、起動、表示をリモコン等の操作デバイスで、容易行うことができ、操作性を向上することができる。
【００７２】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００７３】
又、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
【００７４】
又、制御線や情報線は説明上必要と考えられるものを示しており、製品上必ずしも全ての制御線や情報線を示しているとは限らない。実際にはほとんど全ての構成が相互に接続されていると考えてもよい。
【００７５】
本実施例によれば、動画をスケーリング表示しながら、リモコン等の操作デバイスにより、無駄のない画面構成で、アプリケーションを選択し、ウィジェットとして表示し、操作可能なアプリケーション画面を表示するアプリケーション管理機能を有するコンテンツ表示装置を提供することができる。
【符号の説明】
【００７６】
８０…表示画面、８１…映像、８３…アプリメニュー、８４…ウィジェットリスト、８９…重複エリア。
【図１】
0005859108.tif 000002
【図２】
0005859108.tif 000003
【図３】
0005859108.tif 000004
【図４】
0005859108.tif 000005
【図５】
0005859108.tif 000006
【図６】
0005859108.tif 000007
【図７】
0005859108.tif 000008
【図８】
0005859108.tif 000009
【図９】
0005859108.tif 000010
【図１０】
0005859108.tif 000011
【図１１】
0005859108.tif 000012
【図１２】
0005859108.tif 000013
【図１３】
0005859108.tif 000014
【図１４】
0005859108.tif 000015
【図１５】
0005859108.tif 000016
【図１６】
0005859108.tif 000017
【図１７】
0005859108.tif 000018
【図１８】
0005859108.tif 000019